(57)【要約】      （修正有）【課題】コリメータレンズをレンズ取付部材に仮固定した状態で、コリメータレンズ位置調整装置による光軸方向位置調整後、他所に移動させてコリメータレンズとレンズ取付部材を接着できる走査光学系のコリメータレンズ保持及び調整構造を得る。【解決手段】コリメータレンズを光軸方向に移動自在に支持するガイド部を有し、該レンズをガイド部に支持して走査光学系内に取り付けられるコリメータレンズ取付部材と、該レンズの有効光学面の外側領域に接触し得る接触部を有し、ガイド部に沿って移動自在にコリメータレンズ取付部材に載置される調整用ブロックと、前記取付部材に着脱自在で、調整用ブロックを移動可能な状態で弾性的に押圧保持する押え部材とを備え、押え部材は、調整用ブロックの光軸方向位置調整用のジグが挿通される挿通穴と、前記取付部材に装着された状態で、少なくとも該レンズと該レンズ取付部材との接触領域が露出する開口とを備えた。【選択図】図２
2011253155.tif 000002
【特許請求の範囲】
【請求項１】
レーザビームを走査させる走査光学系においてレーザビームをコリメートするコリメータレンズの保持及び調整構造であって、
前記コリメータレンズを光軸方向に移動自在に支持するガイド部を有し、前記コリメータレンズを前記ガイド部に支持して前記走査光学系内に取り付けられるコリメータレンズ取付部材と、
前記コリメータレンズの前記レーザビーム入射側及び射出側の有効光学面の外側領域に接触し得る接触部を有し、前記ガイド部に沿って移動自在な状態で前記コリメータレンズ取付部材に載置される調整用ブロックと、
前記コリメータレンズ取付部材に着脱自在に装着され、装着されたときに前記調整用ブロックを前記コリメータレンズ取付部材に対して前記ガイド部に沿って移動可能な状態で弾性的に押圧保持する押え部材とを備え、
前記押え部材は、前記調整用ブロックの光軸方向位置調整用のジグが挿通される挿通穴と、前記コリメータレンズ取付部材に装着された状態で、少なくとも前記コリメータレンズと前記コリメータレンズ取付部材との接触領域が露出する開口と、を備えていることを特徴とする走査光学系のコリメータレンズ保持及び調整構造。
【請求項２】
請求項１記載の走査光学系のコリメータレンズ保持及び調整構造において、前記押え部材は板ばねであり、前記調整用ブロックは、該板ばねの前記挿通穴を通して挿入された調整用のジグと係合する、該調整用ブロックの移動方向と非平行な調整溝を備えている走査光学系のコリメータレンズ保持及び調整構造。
【請求項３】
請求項１記載の走査光学系のコリメータレンズ保持及び調整構造において、前記開口は、前記コリメータレンズを前記コリメータレンズ取付部材に接着する接着剤の注入口となる走査光学系のコリメータレンズ保持及び調整構造。
【請求項４】
請求項１乃至３のいずれか一項記載の走査光学系のコリメータレンズ保持及び調整構造において、前記調整用ブロックは、前記コリメータレンズ取付部材に載置されたときに前記コリメータレンズのレーザビーム入射側の面及び射出側の面を挟んで位置する二つの脚部を有し、各脚部は、前記コリメータレンズの入射側又は射出側の面と対向する貫通穴を有し、該貫通穴の縁部が前記外側領域に接触し得る接触部となる走査光学系のコリメータレンズ保持及び調整構造。
【請求項５】
請求項４記載の走査光学系のコリメータレンズ保持及び調整構造において、前記貫通穴は、レーザビームを規制するアパーチャとして作用する走査光学系のコリメータレンズ保持及び調整構造。
【請求項６】
請求項１乃至３のいずれか一項記載の走査光学系のコリメータレンズ保持及び調整構造において、前記調整用ブロックは、前記コリメータレンズ取付部材に載置されたときに前記コリメータレンズのレーザビーム入射側の面及び射出側の面を挟んで位置する二つの脚部を有し、各脚部は、前記コリメータレンズのレーザビーム入射側又は射出側の有効光学面外に位置して、前記外側領域に接触し得る二股に分かれている走査光学系のコリメータレンズ保持及び調整構造。
【請求項７】
請求項１乃至６のいずれか一項記載の走査光学系のコリメータレンズ保持及び調整構造において、前記ガイド部は、調整用ブロックを前記光軸と平行に移動自在に支持する、横断面略Ｖ字形状のＶ溝である走査光学系のコリメータレンズ保持及び調整構造。
【請求項８】
請求項７記載の走査光学系のコリメータレンズ保持及び調整構造において、前記Ｖ溝に載せられる各脚部の先端部は、前記光軸と平行な軸を軸心とした外円筒面形状を含む面を備えている走査光学系のコリメータレンズ保持及び調整構造。
【発明の詳細な説明】
【技術分野】
【０００１】
本発明は、レーザビームを回転多面鏡によって主走査方向へ動的に偏向させることにより感光体をスポット光で走査する走査光学系におけるコリメータレンズ保持及び調整構造に関する。
【背景技術】
【０００２】
従来、電子写真方式によるレーザプリンタ、デジタルコピー機、レーザファックス、又はレーザプロッタにおいて、レーザビームを使用した走査光学系が、走査対象面である感光ドラム等の感光体表面を変調レーザビームによって走査するために用いられている（特許文献１、２）。
【０００３】
レーザ光源から発せられたレーザビームは、コリメータレンズによって平行光束に整形される。このコリメータレンズは、以下のようにして位置調整および取り付けがなされる。すなわち、まず、取付台のＶ字状溝（Ｖ溝）に載せられたコリメータレンズは、コリメータレンズ位置調整装置のコリメータレンズ押えジグによってレンズ取付台に向けて付勢され保持される。この状態において、コリメータレンズは、光軸方向の位置調整がなされる。位置調整されたコリメータレンズは、ＵＶ（紫外線）硬化接着剤をＵＶ照射によって硬化させることにより、レンズ取付台に固定されていた。
【先行技術文献】
【特許文献】
【０００４】
【特許文献１】特開２０００−３２１５１８号公報
【特許文献２】特開平１０−２１３７６９号公報
【発明の概要】
【発明が解決しようとする課題】
【０００５】
しかしながら従来のコリメータレンズ位置調整装置の構造では、ＵＶ接着固定が終了するまでコリメータレンズをコリメータレンズ位置調整装置から取り外すことができない。そのため、コリメータレンズ位置調整装置が解放され、次の調整が可能になるまでに長時間要していた。一方、単位時間当たりの調整可能数を多くするためには多数のコリメータレンズ位置調整装置が必要になるので、初期コスト、ランニングコストがアップする問題があった。
【０００６】
本発明は前記従来技術の課題に鑑みてなされたものであって、コリメータレンズをレンズ取付部材に仮固定した状態で、コリメータレンズ位置調整装置による光軸方向位置調整し、その後他の場所に移動させてコリメータレンズとレンズ取付部材を接着できる、走査光学系のコリメータレンズ保持及び調整構造を得ることを目的とする。
【課題を解決するための手段】
【０００７】
かかる目的を達成するために本発明は、レーザビームを走査させる走査光学系においてレーザビームをコリメートするコリメータレンズの保持及び調整構造であって、前記コリメータレンズを光軸方向に移動自在に支持するガイド部を有し、前記コリメータレンズを前記ガイド部に支持して前記走査光学系内に取り付けられるコリメータレンズ取付部材と、前記コリメータレンズの前記レーザビーム入射側及び射出側の有効光学面の外側領域に接触し得る接触部を有し、前記ガイド部に沿って移動自在な状態で前記コリメータレンズ取付部材に載置される調整用ブロックと、前記コリメータレンズ取付部材に着脱自在に装着され、装着されたときに前記調整用ブロックを前記コリメータレンズ取付部材に対して前記ガイド部に沿って移動可能な状態で弾性的に押圧保持する押え部材とを備え、前記押え部材は、前記調整用ブロックの光軸方向位置調整用のジグが挿通される挿通穴と、前記コリメータレンズ取付部材に装着された状態で、少なくとも前記コリメータレンズと前記コリメータレンズ取付部材との接触領域が露出する開口とを備えていることに特徴を有する。
【０００８】
好ましい実施形態において、前記押え部材は板ばねであり、前記調整用ブロックは、該板ばねの前記挿通穴を通して挿入された調整用のジグと係合する、該調整用ブロックの移動方向と非平行な調整溝を備える。
【０００９】
前記開口は、前記コリメータレンズを前記コリメータレンズ取付部材に接着する接着剤の注入口となる。
【００１０】
前記調整用ブロックは、前記コリメータレンズ取付部材に載置されたときに前記コリメータレンズのレーザビーム入射側の面及び射出側の面を挟んで位置する二つの脚部を有し、各脚部は、前記コリメータレンズの入射側又は射出側の面と対向する貫通穴を有し、該貫通穴の縁部が前記外側領域に接触し得る接触部となる。
前記貫通穴は、レーザビームを規制するアパーチャとして作用する。
【００１１】
また、前記コリメータレンズ取付部材に載置されたときに前記コリメータレンズのレーザビーム入射側の面及び射出側の面を挟んで位置する二つの脚部を有し、各脚部は、前記コリメータレンズのレーザビーム入射側又は射出側の有効光学面外に位置して、前記外側領域に接触し得る二股に分かれている。
【００１２】
前記ガイド部は、調整用ブロックを前記光軸と平行に移動自在に支持する、横断面略Ｖ字形状のＶ溝であることが実際的である。
【００１３】
前記Ｖ溝に載せられる各脚部の先端部は、前記光軸と平行な軸を軸心とした外円筒面形状を含む面を備えていることが好ましい。
【発明の効果】
【００１４】
本発明によれば、コリメータレンズをコリメータレンズ取付部材に調整用ブロック及び押え部材によって光軸方向移動可能に保持した状態で、コリメータレンズ位置調整装置による光軸方向位置調整をし、その後、そのまま他の場所、他の装置に移動させてコリメータレンズをレンズ取付部材に接着できるので、安価に、コリメータレンズの調整作業及び接着作業効率を向上させることができる。
【図面の簡単な説明】
【００１５】
【図１】本発明に係る走査光学系のコリメータレンズ保持及び調整構造を適用したレーザ走査ユニットの実施形態を蓋を外して示した平面図である。
【図２】本発明に係る走査光学系のコリメータレンズ保持及び調整構造の主要部材の分解斜視図である。
【図３】本発明に係る走査光学系のコリメータレンズ保持及び調整構造によってコリメータレンズをコリメータベースに保持した様子を示した斜視図である。
【図４】本発明に係る走査光学系のコリメータレンズ保持及び調整構造によってコリメータレンズをコリメータベースに保持したコリメータアッセンブリの実施形態を示した平面図である。
【図５】同コリメータアッセンブリの実施形態の側面図である。
【図６】図４の切断線VI-VIに沿う断面図である。
【図７】同実施形態におけるレーザユニットの、（Ａ）は正面図、（Ｂ）は背面図である。
【図８】同実施形態に使用した調整用ブロックの別の実施形態を示す拡大斜視図である。
【発明を実施するための形態】
【００１６】
以下本発明の実施形態について、添付の図面を参照して詳細に説明する。本発明を適用した実施形態の走査光学系ユニットから上カバーを取り除いた平面図を図１に示した。この走査光学系ユニット１０は、筐体１１内に、レーザビームを射出するレーザダイオード２３を備えたレーザユニット２０と、レーザユニット２０から射出されたレーザビームを走査させる偏向光学系としてのポリゴンミラー（回転多面鏡）３０と、ポリゴンミラー３０で反射されたレーザビームを感光ドラムなどの走査対象面４３上において等速走査させる第１ｆθレンズ４１及び第２ｆθレンズ４２からなるｆθレンズ系４０を備えている。
【００１７】
筐体１１内には、レーザビームが走査対象面４３を走査する走査光路外であって、走査対象面４３の走査開始位置より前位相となる位置に、走査開始タイミングを検知するためのタイミング検知ミラー４５が配置されている。タイミング検知ミラー４５で反射したレーザビームは、レーザユニット２０に設けられた受光素子２５に入射する。
【００１８】
レーザダイオード２３及び受光素子２５は、同一の基板２１に搭載されており、基板２１はコリメータアッセンブリ５０（コリメータレンズ取付部材）に装着されている。コリメータアッセンブリ５０には、レーザダイオード２３の前方に位置するコリメータレンズ５１が支持されており、筐体１１上には、コリメータレンズ５１とポリゴンミラー３０との間に位置するシリンダーレンズＣＬが配置されている。コリメータレンズ５１は、レーザダイオード２３から射出されたレーザビーム（レーザ光束）を平行光にする機能を有し、シリンダーレンズＣＬは、レーザビームの断面形状を成形する機能を有する。
【００１９】
コリメータアッセンブリ５０は、コリメータレンズ５１が載置されるコリメータベース（コリメータレンズ取付部材）５３及び基板２１を保持する板状の基板ベース５５を備えている。コリメータベース５３と基板ベース５５とは略直交するよう一体形成されていて、側面形状が概略Ｌ字形を呈している。
【００２０】
図２に示すように、コリメータベース５３には、コリメータレンズ５１を載置するための断面略Ｖ字形状のＶ溝（ガイド部）５４が形成されている。Ｖ溝５４は、底に向かって間隔が狭くなる方向に傾斜した斜面５４ａ、５４ｂ及び底面５４ｃからなる。斜面５４ａ、５４ｂは底面５４ｃに向かって一定の傾斜を成して底面５４ｃに連なり、斜面５４ａ、５４ｂ及び底面５４ｃは一定の幅で、基板ベース５５の前面と直交する方向（レーザダイオードから照射されポリゴンミラー３０に向かうレーザビームの光路に沿う方向）に直線的に延びている。
【００２１】
コリメータレンズ５１は、コバ面（外周面）５１ａが光軸Ｏを中心とした外円筒面に形成されていて、このコバ面５１ａがＶ溝５４の両斜面５４ａ、５４ｂに線接触し、その接触線が光軸Ｏと平行に延びる。したがってコリメータレンズ５１は、Ｖ溝５４の両斜面５４ａ、５４ｂに沿って光軸Ｏと平行に平行移動自在に支持される。
【００２２】
基板ベース５５には、コリメータベース５３とは反対側の面（背面）に、基板２１を取り付けるための２個のボス５５ｂが一体に突設されている。さらに基板ベース５５には、ボス５５ｂに対してねじ止め固定された基板２１上のレーザダイオード２３及び受光素子２５が非接触状態で挿入されるレーザダイオード開口５５ａが形成されている。レーザダイオード２３とコリメータレンズ５１とは、Ｖ溝５４に載せられたコリメータレンズ５１の光軸Ｏがレーザダイオード２３の中心を通るようにレイアウトされている。
【００２３】
また、基板ベース５５には、レーザダイオード２３に装着された放熱板２４が固定されている。すなわち、図４に示すように、基板ベース５５の前面にはレーザダイオード開口５５ａを挟んで一対のボス５５ｃが突出形成されており、各ボス５５ｃのねじ穴に背面側からねじ込まれたねじ５５ｄによって放熱板２４がねじ止めされている。
【００２４】
レーザダイオード２３は、放熱板２４を介して基板ベース５５に装着された後に、３本の端子が、基板２１に形成された対応する端子孔に挿通される。放熱板２４及び基板２１が基板ベース５５にねじ止め固定された後に、レーザダイオード２３の端子は基板２１の導通部にはんだ付けされる。
【００２５】
コリメータベース５３には、Ｖ溝５４の両側の平坦部にそれぞれ、一対の通し穴５３ａが形成されている。コリメータアッセンブリ５０は、コリメータベース５３のこの通し穴５３ａから筐体１１のねじ穴（図示せず）に螺入されるねじによって該筐体１１に固定される。
【００２６】
以上のようにＶ溝５４に載せられたコリメータレンズ５１は、光軸方向に自由に位置調整可能である。本発明の実施形態ではこのコリメータレンズ５１の光軸方向位置調整に、調整用ブロック６０及びブロック押えばね（押え部材）７０を使用する。コリメータレンズ５１の光軸方向位置調整機構である調整用ブロック６０及びブロック押えばね７０の構成についてさらに詳細に説明する。
【００２７】
調整用ブロック６０は、Ｖ溝５４に載せられたコリメータレンズ５１に被せられ、コリメータレンズ５１のレーザビーム入射側及び射出側の有効光学面５１ｂ、５１ｃの外側領域に接触して、光軸方向移動する際にコリメータレンズ５１を一緒に光軸方向に移動させる位置調整用ジグである。
【００２８】
調整用ブロック６０は、コリメータレンズ５１の厚みよりもやや広い間隔の二つの脚部６１、６２と、脚部６１、６２を接続するブリッジ部６３とを有し、側面形状が略コ字形を呈している。脚部６１、６２の先端部には、Ｖ溝５４の両斜面５４ａ、５４ｂと接触する、外円筒面形状を含む面を備えた当接部（半円柱状部）６１ａ、６２ａが形成されている。さらに、コリメータレンズ５１の有効光学面５１ｂ、５１ｃが脚部６１、６２に接触しないように、脚部６１、６２には円形の貫通穴６１ｂ、６２ｂが形成されている。脚部６１、６２の貫通穴６１ｂ、６２ｂを規制する縁部が、有効光学面５１ｂ、５１ｃの外側領域に接触し得る接触部となる。貫通穴６１ｂ、６２ｂは、レーザビームを制限するアパーチャとしても機能する。調整用ブロック６０は、Ｖ溝５４に載せられたコリメータレンズ５１に被せられたときに、当接部６１ａ、６２ａが両斜面５４ａ、５４ｂに接触した状態でブリッジ部６３がコリメータレンズ５１（コバ面５１a）に接触しない高さとなるように、かつ光軸Ｏが貫通穴６１ｂ、６２ｂのほぼ中心を通るように形成されている。
【００２９】
前記当接部６１ａ、６２ａの外円筒状面中心線も、前記光軸Ｏとほぼ一致するように設定することが好ましい。このように中心線及び中心を光軸Ｏと一致させれば、調整用ブロック６０が光軸Ｏ回りに回転したとしても、当接部６１ａ、６２ａ及び貫通穴６１ｂ、６２ｂはそれぞれの中心回りに回転するだけで、コリメータレンズ５１の有効光学面５１ｂ、５１ｃに接触する虞れが少なく、該コリメータレンズ５１を不用意に光軸Ｏ方向に微動させる虞れも少ない。
【００３０】
調整用ブロック６０のブリッジ部６３には、位置微調整用の調整溝６３ａが形成されている。この調整溝６３ａは、調整用ブロック６０の移動方向（被せたコリメータレンズ５１の光軸Ｏ）と直交する方向（ブリッジ部６３の短手方向）に延びている。
【００３１】
調整用ブロック６０をコリメータベース５３に対して保持（仮固定）するブロック押えばね７０は、Ｖ溝５４に載せられた調整用ブロック６０のブリッジ部６３に接触して該調整用ブロック６０をＶ溝５４に対して、Ｖ溝５４に沿って移動可能な状態で弾性的に押圧（挟圧）保持する。調整用ブロック６０は、Ｖ溝５４に沿って移動自在しようとすると、ブロック押えばね７０及びＶ溝５４との間の摩擦によってある程度の摩擦抵抗を受ける。このブロック押えばね７０は、正面から見て台形の押圧部７１と、押圧部７１の両傾斜部から延びた左右の板ばね部７２と、左右の板ばね部７２の先端部からそれぞれ屈曲し、コリメータベース５３の両端部に着脱自在に引っ掛けられる左右の爪部７３を有する。両爪部７３は、先端部に対向側に凸の半円筒状の凸部７３ａが形成されていて、この凸部７３ａと板ばね部７２とでコリメータベース５３の両端部を厚み方向に弾性的に挟圧保持するように形成されている。
【００３２】
押圧部７１には円形の挿通穴７１ａが貫通形成されている。この挿通穴７１ａは、ブロック押えばね７０をコリメータベース５３に装着した状態で、調整用ブロック６０の調整溝６３ａと対向する位置に形成されている。さらに押圧部７１の両側の傾斜部と板ばね部７２とには、開口７１ｂ、７１ｂが穿たれている。この開口７１ｂ、７１ｂは、コリメータレンズ５１とＶ溝５４との境界部に穿けられており、コリメータレンズ５１とＶ溝５４とを接着するための接着剤を注入する注入口及び注入された接着剤に光照射するための光照射口として機能する。
【００３３】
調整用ブロック６０及びブロック押えばね７０を使用して行う、コリメータアッセンブリ５０におけるコリメータレンズ５１の光軸方向位置調整工程、調整方法について以下説明する。なおこの調整は通常、基板２１を基板ベース５５に装着する前工程で実施する。
【００３４】
先ず、コリメータレンズ５１をＶ溝５４に載せる。次いで調整用ブロック６０を、脚部６１と脚部６２の間にコリメータレンズ５１が入るようにコリメータレンズ５１に被せて、コリメータベース５３に載せる。調整用ブロック６０は、脚部６１、６２の当接部６１ａ、６２ａが斜面５４ａ、５４ｂに接触した状態にある。この状態で調整用ブロック６０のブリッジ部６３とコリメータレンズ５１のコバ面５１ａとは非接触状態である。
【００３５】
次に、ブロック押えばね７０を調整用ブロック６０に被せ、両端の爪部７３をコリメータベース５３の縁部に係合させる。この装着状態においてブロック押えばね７０は、押圧部７１が調整用ブロック６０のブリッジ部６３に接触し、ブロック押えばね７０のばね力によって調整用ブロック６０をＶ溝５４に弾性的に押しつけている。
【００３６】
この状態で、調整溝６３ａが挿通穴７１ａの略中央に位置するように、調整用ブロック６０をＶ溝５４に沿って移動させる。すると、調整用ブロック６０の脚部６１、６２の間に保持されているコリメータレンズ５１も、該調整用ブロック６０と一緒に移動する。
【００３７】
このようにコリメータレンズ５１、調整用ブロック６０及びブロック押えばね７０をコリメータベース５３にセットしたコリメータアッセンブリ５０を、図示しないコリメータレンズ位置調整装置にセットする。続いて、挿通穴７１ａに嵌合する太軸部及び太軸部の先端から延びた、調整溝６３ａに嵌る偏芯ピンを備えた調整用のジグ（不図示）を使用して、調整用ブロック６０の光軸方向位置を調整する。
【００３８】
コリメータレンズ５１の光軸方向位置調整が終了したら、調整用ブロック６０及びブロック押えばね７０によりコリメータレンズ５１をコリメータベース５３に対して保持した状態のまま、コリメータアッセンブリ５０をコリメータレンズ位置調整装置から取り外し、別の場所、例えば接着エリアに搬送する。接着エリアにおいて、例えば光硬化型の接着剤を、開口７１ｂ、７１ｂからコバ面５１ａとＶ溝５４の斜面５４ａ、５４ｂ間の隙間に注入する。なお、斜面５４ａ、５４ｂには、底面５４ｃに向かって延びる溝を形成して、その溝に接着剤を充填できるように形成してもよい。
【００３９】
接着剤の注入が終了したら、開口７１ｂ、７１ｂから光（紫外線）を照射して、光硬化型接着剤を硬化させる。光硬化型接着剤が硬化してコリメータレンズ５１がコリメータベース５３に接着固定されたら、ブロック押えばね７０を取り外し、さらに調整用ブロック６０を取り外す。以上の工程で、コリメータベース５３に対するコリメータレンズ５１の光軸方向位置調整及び固定作業が終了する。
【００４０】
その後、コリメータアッセンブリ５０の基板ベース５５に、基板２１を取り付ける。
【００４１】
なお、ブロック押えばね７０及び調整用ブロック６０の取り外しは、コリメータベース５３を筐体１１にねじ止めしてからでもよい。ブロック押えばね７０にコリメータベース５３に形成した通し穴５３ａに対応する位置に、使用するねじの頭の径よりも大径の遊び穴７２ａを形成すれば、ねじをこの遊び穴７２ａから通し穴５３ａに挿通して調整用ブロック６０を筐体１１にねじ止めし、その後ブロック押えばね７０を取り外すこともできる。
【００４２】
以上の通り本発明の実施形態によれば、コリメータベース５３に調整用ブロック６０、ブロック押えばね７０を装着した状態で位置調整及び運搬ができるので、コリメータレンズ５１の位置微調整と接着剤硬化処理を別の場所で行うことが可能になり、作業効率が向上する。光硬化型接着剤は、紫外線硬化型が一般的であるが、熱硬化型接着剤を使用してもよい。
【００４３】
コリメータレンズ５１を押さえる調整用ブロック６０、ブロック押えばね７０は構成が簡単であり安価に製造することが可能である。したがって、調整用ブロック６０、ブロック押えばね７０を多数揃えれば、コリメータアッセンブリ５０におけるコリメータレンズ５１の光軸方向位置調整とコリメータレンズ５１の接着固定とを別の場所及び工程で実施できるので、コリメータレンズ位置調整装置を占有する時間が短縮されて作業効率が上がり、コストダウンを図ることができる。
【００４４】
図８は、調整用ブロック６０の実施形態２を示す。この実施形態２は、脚部６１、６２に、円形の貫通穴６１ｂ、６２ｂに代えて、貫通穴６１ｂ、６２ｂの直径に相当する幅を持つ溝６１ｃ、６２ｃが各脚部先端まで延ばして形成してある。言い替えると、各脚部６１、６２にはそれぞれ、溝６１ｃ、６２ｃを挟んで延びる二股の脚部６１ｄ、６１ｄ、脚部６２ｄ、６２ｄが分割形成されている。脚部６１、６２に先端まで延びた溝６１ｃ、６２ｃを形成することで、調整用ブロック６０をコリメータレンズ５１に被せる際、及び調整用ブロック６０をコリメータレンズ５１から取り外す際に、脚部６１、６２は有効光学面５１ｂ、５１ｃの外側を通過し、溝６１ｃ、６２ｃがコリメータレンズ５１の有効光学面５１ｂ、５１ｃと対向する位置を通過することになる。従って、脚部６１、６２がコリメータレンズ５１の有効光学面５１ｂ、５１ｃに接触する虞れがより低減される。
【００４５】
図示実施形態ではブロック押えばね７０には円形の挿通穴７１ａを、調整用ブロック６０には調整溝６３ａを形成したが、本発明はこれらの実施形態の形状、構造に限定されない。例えば、ブロック押えばね７０には光軸Ｏと平行に伸びる挿通長穴を形成し、調整用ブロック６０には小穴又は光軸と非平行な溝を形成してもよい。この場合、調整用ジグを挿通長穴を通して小穴又は溝に係合させ、挿通長穴に沿って移動させることにより調整用ブロック６０が光軸方向に移動する構成となる。
【００４６】
図示実施形態では、調整用ブロック６０を押さえる押え部材としてブロック押えばね７０を使用したが、調整用ブロック６０をコリメータベース５３に対して光軸方向移動可能に押え、かつ充填又は塗布した接着剤、例えば紫外線硬化型接着剤であれば紫外線を照射することが可能な開口等を有する形状であればよい。
【００４７】
コリメータベース５３のＶ溝５４はコリメータレンズ５１をその光軸Ｏと平行に移動自在にガイドするガイド部として機能するので、コリメータレンズ５１を円滑かつ安全に微調整できる形状であればＶ字形状に限定されない。調整用ブロック６０の脚部６１、６２がＶ溝５４の斜面５４ａ、５４ｂと接触する部分は、斜面５４ａ、５４ｂが成す角と同一内角の斜面として面接触する形状としてもよい。この形状によれば、調整用ブロック６０はＶ溝５４に対して傾くことがなく、常に一定の姿勢を維持できる。
【符号の説明】
【００４８】
１１  筐体
２０  レーザユニット
２１  基板
２３  レーザダイオード
２４  放熱板
２５  受光素子（ホトダイオード）
３０  ポリゴンミラー
４０  ｆθレンズ系
４３  走査対象面
５０  コリメータアッセンブリ（コリメータレンズ取付部材）
５１  コリメータレンズ
５１ａ  コバ面
５１ｂ  ５１ｃ  有効光学面
５３  コリメータベース（コリメータレンズ取付部材）
５４  Ｖ溝（ガイド部）
５４ａ  ５４ｂ  斜面
５４ｃ  底面
５５  基板ベース
５５ａ  レーザダイオード開口
５５ｂ  ボス
６０  調整用ブロック
６１  ６２  脚部
６１ａ  ６２ａ  当接部
６１ｂ  ６２ｂ  貫通穴
６１ｃ  ６２ｃ  溝
６３  ブリッジ部
６３ａ  調整溝
７０  ブロック押えばね（押え部材）
７１  押圧部
７１ａ  挿通穴
７１ｂ  開口
７２  板ばね部
７３  爪部
７３ａ  凸部
ＣＬ  シリンダーレンズ
Ｏ  光軸
【図１】
2011253155.tif 000003
【図２】
2011253155.tif 000004
【図３】
2011253155.tif 000005
【図４】
2011253155.tif 000006
【図５】
2011253155.tif 000007
【図６】
2011253155.tif 000008
【図７】
2011253155.tif 000009
【図８】
2011253155.tif 000010